(57)【要約】【課題】ユーザーによる無駄な画像読取等を防ぐことができる。【解決手段】画像形成装置１は、表示部２１、順序記憶部４１、取得部３１、判定部３２、及び表示変更部３３を備える。表示部２１は、表示面を有し、操作画面を表示面に表示する。順序記憶部４１は、予め設定された操作画面の画面遷移の順序を示す第１順序情報を記憶する。取得部３１は、ユーザーによる操作画面の画面遷移の順序を示す第２順序情報を取得する。判定部３２は、第１順序情報と第２順序情報とが同一であるか否かを判定する。表示変更部３３は、判定部による判定結果に応じて、操作画面の表示内容を変更する。【選択図】図４
2019212951.tif 000002
【特許請求の範囲】
【請求項１】
表示面を有し、操作画面を前記表示面に表示する表示部と、
予め設定された前記操作画面の画面遷移の順序を示す第１順序情報を記憶する順序記憶部と、
ユーザーによる前記操作画面の画面遷移の順序を示す第２順序情報を取得する取得部と、
前記第１順序情報と前記第２順序情報とが同一であるか否かを判定する判定部と、
前記判定部による判定結果に応じて、前記操作画面の表示内容を変更する表示変更部と
を備える画像形成装置。
【請求項２】
原稿画像を読み取って原稿画像データを生成する画像読取部を更に備え、
前記操作画面はスタートキーを表示し、
前記スタートキーは前記画像読取部に画像の読取を指示するキーである、請求項１に記載の画像形成装置。
【請求項３】
前記判定結果に応じて、前記表示変更部が、前記スタートキーの位置、前記スタートキーの大きさ、前記スタートキーの色、前記スタートキーの照度のうちの少なくとも一つを変更する、請求項２に記載の画像形成装置。
【請求項４】
前記第１順序情報と前記第２順序情報が同一でないと前記判定部が判定した場合、前記表示変更部が再設定キーを前記操作画面に表示し、
前記再設定キーは前記画像読取部に再設定を指示するキーである、請求項２又は請求項３に記載の画像形成装置。
【請求項５】
前記第１順序情報と前記第２順序情報が同一でないと前記判定部が判定した場合、前記表示変更部が前記操作画面の全体又は一部の色を変更する、請求項１から請求項４のいずれか１項に記載の画像形成装置。
【請求項６】
前記第１順序情報と前記第２順序情報が同一でないと前記判定部が判定した場合、前記表示変更部が前記操作画面の全体又は一部を点滅させる、請求項１から請求項５のいずれか１項に記載の画像形成装置。
【請求項７】
画像形成装置を操作する操作画面の表示変更処理を実行するための表示変更プログラムであって、
前記表示変更処理は、
予め設定された前記操作画面の画面遷移の順序を示す第１順序情報を記憶するステップと、
ユーザーによる前記操作画面の画面遷移の順序を示す第２順序情報を取得するステップと、
前記第１順序情報と前記第２順序情報とが同一であるか否かを判定するステップと、
前記判定の結果に応じて、前記操作画面の表示内容を変更するステップと
を備える、表示変更プログラム。
【請求項８】
画像形成装置を操作する操作画面の表示変更方法であって、
予め設定された前記操作画面の画面遷移の順序を示す第１順序情報を記憶するステップと、
ユーザーによる前記操作画面の画面遷移の順序を示す第２順序情報を取得するステップと、
前記第１順序情報と前記第２順序情報とが同一であるか否かを判定するステップと、
前記判定の結果に応じて、前記操作画面の表示内容を変更するステップと
を備える、表示変更方法。
【発明の詳細な説明】
【技術分野】
【０００１】
本発明は、画像形成装置、表示変更プログラム及び表示変更方法に関する。
【背景技術】
【０００２】
複合機等の画像形成装置は、ユーザーが間違った設定で原稿読取、ファクス送信、コピー、又は印刷すると、電力及び消耗品を消費し、故障する場合さえある。そこで、ユーザーが間違った設定で原稿読取すること等を防ぐため、様々な方策が検討されている。
【０００３】
例えば、特許文献１に記載の画像形成装置は、特定キーの操作、又は各種キーの組み合わせ操作を監視することにより、誤ってサービスモードに移行することを回避する。サービスモードは、画像装置の工場又は販売先で画像形成装置の診断及び整備するためのモードである。そのため、専門知識を有しない一般ユーザーは、画像形成装置の故障を防ぐため、サービスモードにおける画像形成装置の操作を禁止されている。
【先行技術文献】
【特許文献】
【０００４】
【特許文献１】特開平５−３５０３３号公報
【発明の概要】
【発明が解決しようとする課題】
【０００５】
しかしながら、特許文献１に記載の画像形成装置がサービスモードに移行する際の操作は、１台の画像形成装置ごとに１つの操作に決まっている。したがって、特許文献１に記載の画像形成装置の操作は、ユーザーごとに異なる操作が必要な用途、例えば、原稿読取、ファクス送信、及びコピーには適していない。そのため、特許文献１に記載の画像形成装置は、ユーザーが間違った設定で無駄に原稿読取、ファクス送信、及びコピーすることを防ぐことができない。
【０００６】
本発明は、上記課題に鑑みてなされたものであり、ユーザーによる無駄な画像読取等を防ぐことができる画像形成装置、表示変更プログラム及び表示変更方法を提供することを目的としている。
【課題を解決するための手段】
【０００７】
本発明に係る画像形成装置は、表示部、順序記憶部、取得部、判定部、及び表示変更部を備える。前記表示部は、表示面を有し、操作画面を表示面に表示する。前記順序記憶部は、予め設定された前記操作画面の画面遷移の順序を示す第１順序情報を記憶する。前記取得部は、ユーザーによる前記操作画面の画面遷移の順序を示す第２順序情報を取得する。前記判定部は、前記第１順序情報と前記第２順序情報とが同一であるか否かを判定する。前記表示変更部は、前記判定部による判定結果に応じて、前記操作画面の表示内容を変更する。
【０００８】
本発明に係る表示変更プログラムは、画像形成装置を操作する操作画面の表示変更処理を実行するための表示変更プログラムである。前記表示変更処理は、予め設定された前記操作画面の画面遷移の順序を示す第１順序情報を記憶するステップと、ユーザーによる前記操作画面の画面遷移の順序を示す第２順序情報を取得するステップと、前記第１順序情報と前記第２順序情報とが同一であるか否かを判定するステップと、前記判定の結果に応じて、前記操作画面の表示内容を変更するステップとを備える。
【０００９】
本発明に係る表示変更方法は、画像形成装置を操作する操作画面の表示変更方法である。本発明の表示変更方法は、予め設定された前記操作画面の画面遷移の順序を示す第１順序情報を記憶するステップと、ユーザーによる前記操作画面の画面遷移の順序を示す第２順序情報を取得するステップと、前記第１順序情報と前記第２順序情報とが同一であるか否かを判定するステップと、前記判定の結果に応じて、前記操作画面の表示内容を変更するステップとを備える。
【発明の効果】
【００１０】
本発明は、ユーザーによる無駄な画像読取等を防ぐことができる画像形成装置、表示変更プログラム及び表示変更方法を提供できる。
【図面の簡単な説明】
【００１１】
【図１】本発明の実施形態に係る画像形成装置のブロック図の一例である。
【図２】本発明の実施形態に係る画像形成装置の動作を示すフローチャートの一例である。
【図３】用紙選択画面の一例である。
【図４】第１順序情報と第２順序情報とが同一でないと判定された場合に表示部に表示される操作画面の一例である。
【図５】第１順序情報と第２順序情報とが同一と判定された場合に表示部に表示される操作画面の一例である。
【発明を実施するための形態】
【００１２】
以下、本発明の実施形態について、図面（図１〜図５）を参照しながら説明する。なお、図中、同一又は相当部分については同一の参照符号を付して説明を繰り返さない。
【００１３】
まず、図１を参照して、本実施形態に係る画像形成装置１の構成について説明する。図１は、画像形成装置１の構成を示すブロック図である。画像形成装置１は、例えば、カラー複合機である。
【００１４】
図１に示すように、画像形成装置１は、画像読取部１０、操作部２０、制御部３０、記憶部４０を備える。なお、画像形成装置１は、電源、通信ボード、及び画像形成部等を備える。
【００１５】
画像読取部１０は、原稿に形成された原稿画像を読み取って、原稿画像を示す原稿画像データを生成する。
【００１６】
画像読取部１０は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー、及びＣＣＤ（Ｃｈａｒｇｅ  Ｃｏｕｐｌｅｄ  Ｄｅｖｉｃｅ）イメージセンサーのような撮像素子によって原稿画像を読み取り、原稿画像データを生成する。
【００１７】
操作部２０は、表示部２１と、検出部２２とを備えている。表示部２１は、例えば、液晶ディスプレー又は有機ＥＬ（Ｅｌｅｃｔｒｏ  Ｌｕｍｉｎｅｓｃｅｎｃｅ）ディスプレーである。表示部２１は、操作画面を表示面に表示する。
【００１８】
操作画面は、例えば、スタートキー、及び設定キーを表示する。スタートキーは、画像の読取を指示する旨を画像読取部１０に通知するソフトキーである。設定キーは、画像形成装置１で実現される原稿読取機能、ファクシミリ機能及びコピー機能をユーザーが使用する際に、各機能の設定値を設定する設定画面に移行するためのソフトキーである。
【００１９】
検出部２２は、表示部２１の表示面に設けられる。検出部２２は、例えば、タッチセンサーである。検出部２２は、タッチペン、及び指等の被検出物による表示面への接触を検出する。そして、検出部２２は、被検出物の接触位置に基づいて、ユーザーによる画面遷移の指示を検出する。最後に、検出部２２は検出した画面遷移の順序を示す順序情報を制御部３０に送信する。
【００２０】
画像形成装置１のコピー機能を使用する場合の順序情報は、例えば、「画質設定画面」、「レイアウト設定画面」、「仕上がり選択画面」と画面が遷移していく順序を示す。また、画像形成装置１のファクス機能を使用する場合の順序情報は、例えば、「簡易設定画面」、「画質設定画面」、「その他画面」と画面が遷移していく順序を示す。
【００２１】
制御部３０は、プロセッサー、及び制御記憶部を備える。制御部３０のプロセッサーは、制御記憶部に記憶された表示変更プログラム等の制御プログラムを実行することによって、数値計算、情報処理、及び機器制御のような処理をする。制御部３０のプロセッサーは、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）である。
【００２２】
制御部３０のプロセッサーは、表示変更プログラムを実行することによって、取得部３１、判定部３２、及び表示変更部３３として機能する。
【００２３】
取得部３１は、検出部２２から順序情報を受信して、順序情報を取得する。取得部３１は、ユーザーが新規ユーザーの場合、取得した順序情報を第１順序情報として記憶部４０に記憶させる。取得部３１は、ユーザーが新規ユーザーではない場合、取得した順序情報を第２順序情報として判定部３２に送信する。
【００２４】
第１順序情報は、予め設定された操作画面の画面遷移の順序を示す。第２順序情報は、ユーザーによる操作画面の画面遷移の順序を示す。
【００２５】
判定部３２は、第１順序情報と第２順序情報とが同一であるか否かを判定する。判定部３２は、判定結果を表示変更部３３に送信する。
【００２６】
第１順序情報と第２順序情報とが同一であるか否かの判定について例示する。例えば、第１順序情報が「画質設定画面」、「レイアウト設定画面」、「仕上がり選択画面」の順序であるとする。この場合、第２順序情報が「画質設定画面」、「仕上がり選択画面」、「レイアウト設定画面」の順序であれば、第１順序情報と第２順序情報は同一でない。反対に、第２順序情報が「画質設定画面」、「レイアウト設定画面」、「仕上がり選択画面」の順序であれば、第１順序情報と第２順序情報は同一である。
【００２７】
表示変更部３３は、判定部３２から受信した判定結果に応じて、表示部２１の表示面に表示される操作画面の表示内容を変更する。表示内容の変更は、例えば、スタートキーの表示形態の変更である。表示形態の変更は、例えば、スタートキーを表示する位置の変更、スタートキーの大きさの変更、スタートキーの色味の変更、スタートキーの照度の変更である。
【００２８】
具体的には、第１順序情報と第２順序情報とが同一でない場合、表示変更部３３が、判定部３２の判定前と比べて、スタートキーの表示位置を表示部２１の端部側に変更する。また、第１順序情報と第２順序情報とが同一でない場合、表示変更部３３が、判定部３２による判定前と比べて、スタートキーをより小さく、より薄い色で、又はより低照度となるように変更する。他にも、第１順序情報と第２順序情報とが同一でない場合、表示変更部３３が、例えば、画像読取部１０の再設定をユーザーに勧める再設定キーを表示する。
【００２９】
反対に、第１順序情報と第２順序情報とが同一の場合、例えば、表示変更部３３が、判定部３２による判定前と比べて、スタートキーの表示位置を表示部２１のユーザーの更に手前側に変更する。また、第１順序情報と第２順序情報とが同一の場合、表示変更部３３が、判定部３２による判定前と比べて、スタートキーをより大きく、より濃い色で、又はより高照度となるように変更する。
【００３０】
スタートキーの表示内容の変更は、単独又は複数を組み合わせて変更してもよい。なお、操作画面の表示内容の変更は、スタートキーの表示形態の変更には限定されない。操作画面の表示内容の変更は、例えば、操作画面の全体又は一部の色を変えて表示すること、及び操作画面の全体又は一部を点滅させて表示することを含む。
【００３１】
なお、制御部３０の制御記憶部は、画像読取部１０、操作部２０、電源、通信ボード、及び画像形成部等を制御するためのプログラムを記憶する。また、制御部３０の制御記憶部は、ジョブを実行するためのプログラムを記憶する。ジョブは、例えば、原稿の読取、原稿のファクス送信、及び原稿のコピーである。
【００３２】
記憶部４０は、順序記憶部４１を備える。順序記憶部４１は第１順序情報を記憶する。順序記憶部４１は、ユーザーごとに第１順序情報を記憶してもよい。また、順序記憶部４１は、一人のユーザーに対して、複数の第１順序情報を記憶してもよい。なお、記憶部４０は、画像読取部１０、操作部２０、電源、通信ボード、及び画像形成部等の設定値を記憶する。また、記憶部４０は、数値の計算、及び判定のために一時的に利用できる記憶領域を備える。
【００３３】
次に、図２を参照して、画像形成装置１によるジョブの１種である原稿の読取が完了するまでの動作を説明する。図２は画像形成装置１の動作を示すフローチャートである。
【００３４】
図２に示す動作は、ユーザーが原稿を画像読取部１０に配置して操作部２０を介して画像形成装置１にログイン処理すると、開始する。
【００３５】
ステップＳ１０１において、制御部３０が、用紙選択画面を表示部２１に表示する。用紙選択画面の詳細については、図３を参照して、後に説明する。ユーザーが、予め決められた順序で操作画面を切り替えながら、必要な設定をする。画像形成装置１の動作はステップＳ１０２に進む。
【００３６】
ステップＳ１０２において、取得部３１が、ユーザーの画面操作に基づいて、第２順序情報を取得する。取得部３１が取得した第２順序情報を判定部３２に送信する。画像形成装置１の動作はステップＳ１０３に進む。
【００３７】
ステップＳ１０３において、順序記憶部４１が記憶する第１順序情報と第２順序情報とが同一であるか否かを判定部３２が判定する。第１順序情報と第２順序情報とが同一でないと判定部３２が判定した場合（ステップＳ１０３のＮｏ）は、画像形成装置１の動作はステップＳ１０４に進む。反対に、第１順序情報と第２順序情報とが同一であると判定部３２が判定した場合（ステップＳ１０３のＹｅｓ）は、画像形成装置１の動作はステップＳ１１１に進む。
【００３８】
ステップＳ１０４において、表示変更部３３が、操作画面を第１順序情報と第２順序情報とが同一でない場合に表示される操作画面に変更する。第１順序情報と第２順序情報とが同一でない場合に表示される操作画面については、図４を参照して、後に説明する。画像形成装置１の動作はステップＳ１０５に進む。
【００３９】
ステップＳ１０５において、操作画面が表示されている間に、ユーザーの選択に基づいて、ジョブを実行するか否かを制御部３０が判断する。ジョブを実行すると制御部３０が判断した場合（ステップＳ１０５のＹｅｓ）は、画像形成装置１の動作はステップＳ１０６に進む。反対に、ジョブを実行しないと制御部３０が判定した場合（ステップＳ１０５のＮｏ）は、画像形成装置１の動作はステップＳ１０１に進む。
【００４０】
ステップＳ１１１において、表示変更部３３が、操作画面を第１順序情報と第２順序情報とが同一の場合に表示される操作画面に変更する。第１順序情報と第２順序情報とが同一の場合に表示される操作画面については、図５を参照して、後に説明する。画像形成装置１の動作はステップＳ１１２に進む。
【００４１】
ステップＳ１１２において、操作画面が表示されている間に、ユーザーの選択に基づいて、ジョブを実行するか否かを制御部３０が判断する。ジョブを実行すると制御部３０が判断した場合（ステップＳ１１２のＹｅｓ）は、画像形成装置１の動作はステップＳ１０６に進む。反対に、ジョブを実行しないと制御部３０が判定した場合（ステップＳ１１２のＮｏ）は、画像形成装置１の動作はステップＳ１０１に進む。
【００４２】
ステップＳ１０６において、画像形成装置１がジョブを実行して、画像形成装置１の動作は完了する。
【００４３】
次に、図３〜図５を参照して、本実施形態の表示部２１に表示される操作画面を説明する。図３は、操作画面の一例である用紙選択画面である。用紙選択画面は、ログイン完了の直後、言い換えると画面操作直前に表示部２１に表示される。
【００４４】
用紙選択画面は、ユーザーが用紙サイズを選択する画面である。用紙選択画面は、「画質」キーＦ１、「レイアウト」キーＦ２、「用紙」キーＦ３と記載されたソフトキーを備えている。「画質」キーＦ１は画質設定画面に画面遷移するためのソフトキーである。「レイアウト」キーＦ２はレイアウト設定画に画面遷移するためのソフトキーである。「用紙」キーＦ３は用紙選択画面に画面遷移するためのソフトキーである。
【００４５】
用紙選択画面は、その右上部にスタートキーＢ１を表示する。スタートキーＢ１は、画像読取部１０に画像の読取を指示するキーである。
【００４６】
図４は、第１順序情報と第２順序情報とが同一でないと判定された場合に表示部２１に表示される操作画面の一例である。図４の操作画面は、「最初から」キーＲがスタートキーＢ１の下に新たに追加されている。「最初から」キーＲは、画像読取部１０に再設定を指示する再設定キーである。ユーザーが「最初から」キーＲを押すと画像形成装置１の動作がステップＳ１０１に戻り、ユーザーが画像読取部１０を再設定する。
【００４７】
図５は、第１順序情報と第２順序情報とが同一と判定された場合に表示部２１に表示される操作画面の一例である。図５の操作画面のスタートキーＢ２は、スタートキーＢ１と同じ機能を有するソフトキーである。スタートキーＢ２は、スタートキーＢ１よりもユーザーの更に手前側に、より大きく表示されている。
【００４８】
図１〜図５を参照して説明したように、本発明の実施形態の画像形成装置１は、ユーザーによる画像遷移の順序に応じて、操作画面の表示内容を変更する。そのため、ユーザーは、操作画面の表示内容の変更に基づいて、画像形成装置１に無駄なジョブを実行させなくて済む。
【００４９】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５０】
（１）図１〜図５を参照して説明したように、本発明の実施形態では、画像形成装置１がカラー複合機であるが、本発明はこれに限定されない。画像形成装置１が、原稿を読み取って画像データを生成し、生成した画像データを用いるジョブを実行するのであればよい。例えば、画像形成装置１がモノクロの複合機でもよい。
【００５１】
（２）図１〜図５を参照して説明したように、本発明の実施形態では、画像形成装置１の画像遷移を判定して操作画面の表示内容を変更したが、本発明はこれに限定されない。例えば、原稿が画像読取部１０に存在しないにもかかわらず、スタートキーが押された場合、スタートキーの表示形態を変更してもよく、スタートキーを表示しなくてもよい。
【００５２】
（３）図１〜図５を参照して説明したように、本発明の実施形態では、スタートキーの表示形態を変更したが、本発明はこれに限定されない。例えば、スタートキーがハードキーである場合には、設定が誤っている旨等を表示変更部３３が点滅等により表示部２１に表示してもよい。
【産業上の利用可能性】
【００５３】
本発明は、画像形成装置、スキャナー、及びファクシミリの分野に利用可能である。
【符号の説明】
【００５４】
１    画像形成装置
１０  画像読取部
２０  操作部
２１  表示部
２２  検出部
３０  制御部
３１  取得部
３２  判定部
３３  表示変更部
４０  記憶部
４１  順序記憶部
【図１】
2019212951.tif 000003
【図２】
2019212951.tif 000004
【図３】
2019212951.tif 000005
【図４】
2019212951.tif 000006
【図５】
2019212951.tif 000007